(57)【特許請求の範囲】
【請求項１】
板状の基部と、当該基部に取り付けられると共に括り罠における輪状括り部の内周部に接して当該輪状括り部の締付け動作を規制する規制部とを備え、前記輪状括り部内に位置する対象物によって前記基部が踏まれたときに前記規制部による前記締付け動作の規制を解除する括り罠用安全装置であって、
前記基部は、設置面上に並んで設置される一対の板材を備えて当該両板材の対向する両辺に沿って配置された第１の回動軸によって当該両板材が回動可能に連結されると共に当該両板材の一方に対する他方の回動量を規制する回動規制片が当該一方の板材および前記第１の回動軸のいずれかに取り付けられ、かつ前記回動規制片によって回動が規制された回動規制状態において前記両板材における前記第１の回動軸による連結部位とは逆側の端部よりも当該第１の回動軸が上方に位置するように構成され、
前記規制部は、平面視半環状の半環状部材を一対備えて平面視において当該両半環状部材によって形成される環状領域内に前記両板材の前記連結部位が位置すると共に、前記両半環状部材の一方における両端部の間の中間部位が前記両板材の一方の上に位置するように当該一方の半環状部材における当該両端部が前記第１の回動軸および当該第１の回動軸と平行な第２の回動軸のいずれかによって当該一方の板材に対して回動可能に連結され、かつ前記両半環状部材の他方における両端部の間の中間部位が前記両板材の他方の上に位置するように当該他方の半環状部材における当該両端部が前記第１の回動軸および当該第１の回動軸と平行な第３の回動軸のいずれかによって当該他方の板材に対して回動可能に連結され、
前記回動規制状態の前記両板材に前記両半環状部材の前記中間部位が接して当該両板材によって当該両半環状部材の回動が規制された状態において当該両半環状部材の前記両端部よりも当該両中間部位が下方に位置するように前記回動規制片が構成されて前記輪状括り部の前記締付け動作によって当該両中間部位を互いに接近させる向きの力が当該両半環状部材に対して加わったときに当該両中間部位が前記両板材に対して押し付けられて当該板材に対する回動が規制された当該両半環状部材によって当該締付け動作が規制されると共に、前記対象物によって前記環状領域内の前記基部が踏まれて前記両板材における前記逆側の端部に対して前記第１の回動軸が下降させられることで当該両板材に接している前記両半環状部材の前記中間部位が前記両端部に対して相対的に上昇させられて当該中間部位が当該両端部よりも上方に位置したときに当該両中間部位が当該両板材から離脱するように当該両半環状部材が当該板材に対して回動して当該両半環状部材による当該締付け動作の規制が解除されるように構成されている括り罠用安全装置。
【請求項２】
前記半環状部材の外周部における前記中間部位に前記輪状括り部の係合が可能な係合用溝が形成されている請求項１記載の括り罠用安全装置。
【発明の詳細な説明】
【技術分野】
【０００１】
本発明は、板状の基部が踏まれたときに括り罠における輪状括り部の締付け動作の規制が解除されるように構成された括り罠用安全装置に関するものである。
【背景技術】
【０００２】
この種の括り罠用安全装置として、下記特許文献１に開示されている括り罠用安全装置が知られている。この安全装置は、踏板本体および括り輪装着帯体等で構成された踏板と、踏板を載置可能に構成された設置枠とを備え、設置枠上に載置された踏板が踏まれたときに、括り罠における括り輪の締付け動作の規制が解除されるように構成されている。
【０００３】
この場合、踏板本体は、平面視長方形状の金属板で構成されており、その長手方向中央部に一対の支持部材を介して括り輪装着帯体が回動可能に軸着されている。また、括り輪装着帯体（以下、単に「帯体」ともいう）は、平面視コ字状（半環状）の金属製帯板を一対備えている。この帯体は、金属製帯板の両端部が支持部材を介して踏板本体にそれぞれ軸着されると共に、踏板本体上で展開された状態の両金属製帯板における両端部の間の中間部が踏板本体の長手方向における両端からそれぞれ突出するように構成されている。さらに、設置枠は、その上方に踏板を載置可能に平面視長方形状に形成されている。
【０００４】
この安全装置の使用に際しては、まず、展開状態の帯体（両金属製帯板）の外周部に括り罠の括り輪部を回し掛けして装着する。なお、この安全装置では、踏板本体に対する両金属製帯板の回動を規制するセット固定具等を備えているが、このセット固定具等に関する説明を省略する。次いで、安全装置（括り罠）を設置すべき場所に穴を掘り、穴の中に設置枠を設置する。続いて、踏板本体から突出させられている両金属製帯板の中間部を、設置枠における対向する両側壁の上に載置されるようにして設置枠上に踏板をセットする。この際には、両金属製帯板（帯体）によって踏板本体が設置枠上に懸架された状態となる。この後、踏板の上に落ち葉や土を被せることにより、安全装置（括り罠）の設置が完了する。
【０００５】
この状態において、落ち葉等によって覆われた状態の踏板（踏板本体）が捕獲対象物によって踏まれたときには、踏板本体が設置枠内に落下することにより、踏板本体に軸着されている両金属製帯板が踏板本体に対して回動させられる。これにより、両金属製帯板（帯体）による括り輪部の締付け動作の規制が解除されて括り輪部が縮径し、括り罠によって捕獲対象物が捕獲される。
【先行技術文献】
【特許文献】
【０００６】
【特許文献１】登録実用新案公報第３１７６０３２号（４−６頁、第１−４図）
【発明の概要】
【発明が解決しようとする課題】
【０００７】
ところが、従来の安全装置には、以下の問題点が存在する。すなわち、従来の安全装置では、両金属製帯板（帯板）によって設置枠上に懸架された状態の踏板本体が捕獲対象物によって踏まれて踏板本体が設置枠内に落下したときに、踏板本体に対して両金属製帯板が回動させられて括り罠における括り罠の締付け動作の規制が解除される構成が採用されている。したがって、従来の安全装置では、その設置作業に際して、踏板本体を落下させることができる高さの設置枠を埋設可能に十分な深さの穴を設置場所に掘る必要があり、この穴掘り作業に長時間を要すると共に、設置作業者にかかる負担が非常に大きいという問題点がある。また、従来の安全装置では、踏板および設置枠の２つの部材を括り罠と共に携行する必要があり、この点においても設置作業者にかかる負担が大きいという問題点がある。
【０００８】
本発明は、かかる問題点に鑑みてなされたものであり、迅速かつ容易に括り罠を設置し得る括り罠用安全装置を提供することを主目的とする。
【課題を解決するための手段】
【０００９】
上記目的を達成すべく請求項１記載の括り罠用安全装置は、板状の基部と、当該基部に取り付けられると共に括り罠における輪状括り部の内周部に接して当該輪状括り部の締付け動作を規制する規制部とを備え、前記輪状括り部内に位置する対象物によって前記基部が踏まれたときに前記規制部による前記締付け動作の規制を解除する括り罠用安全装置であって、前記基部は、設置面上に並んで設置される一対の板材を備えて当該両板材の対向する両辺に沿って配置された第１の回動軸によって当該両板材が回動可能に連結されると共に当該両板材の一方に対する他方の回動量を規制する回動規制片が当該一方の板材および前記第１の回動軸のいずれかに取り付けられ、かつ前記回動規制片によって回動が規制された回動規制状態において前記両板材における前記第１の回動軸による連結部位とは逆側の端部よりも当該第１の回動軸が上方に位置するように構成され、前記規制部は、平面視半環状の半環状部材を一対備えて平面視において当該両半環状部材によって形成される環状領域内に前記両板材の前記連結部位が位置すると共に、前記両半環状部材の一方における両端部の間の中間部位が前記両板材の一方の上に位置するように当該一方の半環状部材における当該両端部が前記第１の回動軸および当該第１の回動軸と平行な第２の回動軸のいずれかによって当該一方の板材に対して回動可能に連結され、かつ前記両半環状部材の他方における両端部の間の中間部位が前記両板材の他方の上に位置するように当該他方の半環状部材における当該両端部が前記第１の回動軸および当該第１の回動軸と平行な第３の回動軸のいずれかによって当該他方の板材に対して回動可能に連結され、前記回動規制状態の前記両板材に前記両半環状部材の前記中間部位が接して当該両板材によって当該両半環状部材の回動が規制された状態において当該両半環状部材の前記両端部よりも当該両中間部位が下方に位置するように前記回動規制片が構成されて前記輪状括り部の前記締付け動作によって当該両中間部位を互いに接近させる向きの力が当該両半環状部材に対して加わったときに当該両中間部位が前記両板材に対して押し付けられて当該板材に対する回動が規制された当該両半環状部材によって当該締付け動作が規制されると共に、前記対象物によって前記環状領域内の前記基部が踏まれて前記両板材における前記逆側の端部に対して前記第１の回動軸が下降させられることで当該両板材に接している前記両半環状部材の前記中間部位が前記両端部に対して相対的に上昇させられて当該中間部位が当該両端部よりも上方に位置したときに当該両中間部位が当該両板材から離脱するように当該両半環状部材が当該板材に対して回動して当該両半環状部材による当該締付け動作の規制が解除されるように構成されている。
【００１０】
また、請求項２記載の括り罠用安全装置は、請求項１記載の括り罠用安全装置において、前記半環状部材の外周部における前記中間部位に前記輪状括り部の係合が可能な係合用溝が形成されている。
【発明の効果】
【００１１】
請求項１記載の括り罠用安全装置では、回動規制状態において両板材における第１の回動軸による連結部位とは逆側の端部よりも第１の回動軸が上方に位置するように基部が構成され、かつ回動規制状態の両板材に両半環状部材の中間部位が接して両板材によって両半環状部材の回動が規制された状態において両半環状部材の両端部よりも中間部位が下方に位置するように回動規制片が構成されて、輪状括り部の締付け動作によって両中間部位を互いに接近させる向きの力が両半環状部材に対して加わったときに両中間部位が両板材に対して押し付けられて板材に対する回動が規制された両半環状部材によって締付け動作が規制されると共に、対象物によって環状領域内の基部が踏まれて両板材の逆側の端部に対して第１の回動軸が下降させられることで両板材に接している両半環状部材の中間部位が両端部に対して相対的に上昇させられて中間部位が両端部よりも上方に位置したときに両中間部位が両板材から離脱するように両半環状部材が板材に対して回動して両半環状部材による締付け動作の規制が解除されるように構成されている。
【００１２】
したがって、請求項１記載の括り罠用安全装置によれば、従来の安全装置における設置枠に相当する部材を使用せずに設置することができるため、この設置枠の携行が不要となる分だけ、設置作業者の負担を軽減することができると共に、設置面に穴を掘らずに設置することができるため、穴掘りに要する時間の分だけ設置作業に要する時間を短縮することができ、また、穴掘りが不要となる分だけ、設置作業者に係る負担を十分に軽減することができる。これにより、この括り罠用安全装置によれば、迅速かつ容易に括り罠を設置することができる。
【００１３】
また、請求項２記載の括り罠用安全装置によれば、半環状部材の外周部における中間部位に輪状括り部の係合が可能な係合用溝を形成したことにより、規制部によって締付け動作が規制された状態の輪状括り部が規制部から不用意に外れてしまう事態を好適に回避することができる。これにより、環状領域内の基部（一対の板材）が対象物によって踏まれたときに、輪状括り部によって対象物を締め付けて確実に捕獲することができる。
【図面の簡単な説明】
【００１４】
【図１】括り罠用安全装置１の平面図である。
【図２】括り罠用安全装置１の底面図である。
【図３】括り罠用安全装置１の側面図である。
【図４】括り罠用安全装置１の側面断面図である。
【図５】基部２（板材２１ａ，２１ｂ）に対して規制部３（半環状部材３１ａ，３１ｂ）を回動させた状態における括り罠用安全装置１の側面図である。
【図６】括り罠１０における輪状括り部１１の締付け動作を規制している状態の括り罠用安全装置１および輪状括り部１１の平面図である。
【図７】括り罠１０における輪状括り部１１の締付け動作を規制している状態の括り罠用安全装置１および輪状括り部１１の側面図である。
【図８】図７に示す状態から矢印Ａで示すように基部２が踏まれて板材２１ａ，２１ｂが回動させられることによって基部２に対して半環状部材３１ａ，３１ｂが回動させられた状態について説明するための側面図である。
【図９】図８に示す状態から半環状部材３１ａ，３１ｂがさらに回動させられた状態について説明するための側面図である。
【図１０】締付け動作の規制が解除された輪状括り部１１によって対象物Ｘが括られた状態について説明するための側面図である。
【発明を実施するための形態】
【００１５】
以下、本発明に係る括り罠用安全装置の実施の形態について、添付図面を参照して説明する。
【００１６】
図１〜５に示す括り罠用安全装置１は、「括り罠用安全装置」の一例であって、基部２および規制部３を備え、括り罠１０における輪状括り部１１（図６，７参照）の締付け動作を規制可能に構成されている。なお、括り罠１０の構成については公知のため、輪状括り部１１以外の図示および説明を省略する。
【００１７】
基部２は、設置面上に並んで設置される一対の板材２１ａ，２１ｂと、両板材２１ａ，２１ｂの対向する両辺に沿って配置された回動軸２２ａ（「第１の回動軸」の一例）を有する蝶番２２とを備え、蝶番２２によって両板材２１ａ，２１ｂが回動可能に連結されて全体として平板状（長板状）に形成されている。また、図２，４に示すように、板材２１ａの裏面には、板材２１ａに対する板材２１ｂの回動量を規制するための側面視ヘ字状の回動規制片２３が取り付けられている（「回動規制片」が「一方の板材」に取り付けられている構成の例）。
【００１８】
この場合、本例の基部２では、図４に示すように、板材２１ａの裏面に取り付けられている回動規制片２３に対して板材２１ｂの裏面が接して回動規制片２３によって板材２１ａに対する板材２１ｂの矢印Ｂａの向きへの回動が規制された回動規制状態において、両板材２１ａ，２１ｂにおける蝶番２２（回動軸２２ａ）による連結部位とは逆側の端部（同図における板材２１ａの左端部および板材２１ｂの右端部）よりも回動軸２２ａが上方に位置するように回動規制片２３が構成されている。さらに、図１〜３に示すように、両板材２１ａ，２１ｂには、規制部３を取り付けるための断面Ｌ字状の補強部材２４がそれぞれ取り付けられて構成されている。
【００１９】
規制部３は、輪状括り部１１の内周部に接して輪状括り部１１の締付け動作を規制すると共に、輪状括り部１１内に位置する対象物Ｘ（図７〜１０参照）によって基部２が踏まれたときに締付け動作の規制を解除するための部材であって、図１，２に示すように、平面視半環状（一例として、平面視コ字状）の半環状部材３１ａ，３１ｂを一対備え、平面視において両半環状部材３１ａ，３１ｂによって形成される環状領域Ａ内に板材２１ａ，２１ｂにおける蝶番２２による連結部位が位置するように板材２１ａ，２１ｂ（補強部材２４，２４）に取り付けられている。
【００２０】
具体的には、規制部３は、半環状部材３１ａにおける両端部４１，４１の間の中間部位４２が板材２１ａの上に位置するように半環状部材３１ａにおける両端部４１，４１が回動軸３２ａ，３２ａ（「第１の回動軸と平行な第２の回動軸」の一例）によって板材２１ａに対して（板材２１ａに取り付けられている補強部材２４，２４に対して）回動可能に連結されている。また、規制部３は、半環状部材３１ｂにおける両端部４１，４１の間の中間部位４２が板材２１ｂの上に位置するように半環状部材３１ｂにおける両端部４１，４１が回動軸３２ｂ，３２ｂ（「第１の回動軸と平行な第３の回動軸」の一例）によって板材２１ｂに対して（板材２１ｂに取り付けられている補強部材２４，２４に対して）回動可能に連結されている。
【００２１】
さらに、図１〜３に示すように、本例の括り罠用安全装置１では、両半環状部材３１ａ，３１ｂの外周部における中間部位４２（この例では、両半環状部材３１ａ，３１ｂの角部外周面）に輪状括り部１１の係合が可能な係合用溝４２ａがそれぞれ形成されている。
【００２２】
この括り罠用安全装置１は、図３に示すように、回動規制片２３によって回動が規制された回動規制状態における両板材２１ａ，２１ｂに両半環状部材３１ａ，３１ｂの中間部位４２，４２が接して両板材２１ａ，２１ｂの上縁部（本例では、板材２１ａ，２１ｂに取り付けられている各補強部材２４）によって両半環状部材３１ａ，３１ｂの回動が規制された状態において、両半環状部材３１ａ，３１ｂの各端部４１，４１よりも両中間部位４２，４２が下方に位置するように回動規制片２３が構成されている。これにより、本例の括り罠用安全装置１では、輪状括り部１１の締付け動作によって両中間部位４２，４２を互いに接近させる向きの力が両半環状部材３１ａ，３１ｂに対して加わったときに半環状部材３１ａ，３１ｂの両中間部位４２，４２が両板材２１ａ，２１ｂに対して押し付けられて、板材２１ａ，２１ｂに対する回動が規制された両半環状部材３１ａ，３１ｂによって締付け動作が規制される構成が採用されている。
【００２３】
また、本例の括り罠用安全装置１では、図７に示すように、対象物Ｘによって環状領域Ａ内の基部２（両板材２１ａ，２１ｂの少なくとも一方）が踏まれて両板材２１ａ，２１ｂの外側端部に対して蝶番２２の回動軸２２ａが矢印Ｄの向きで下降させられることにより、両板材２１ａ，２１ｂの外側端部が回動軸２２ａを中心として矢印Ｂｂ，Ｂｂで示すように相対的に回動し、これにより、両板材２１ａ，２１ｂに接している両半環状部材３１ａ，３１ｂが矢印Ｃｂ，Ｃｂで示すように板材２１ａ，２１ｂに対して回動させられる構成が採用されている。これにより、本例の括り罠用安全装置１では、図８に示すように、両半環状部材３１ａ，３１ｂの中間部位４２が端部４１に対して相対的に上昇させられ、中間部位４２が端部４１よりも上方に位置したときに、両中間部位４２，４２が両板材２１ａ，２１ｂから離脱するようにして両半環状部材３１ａ，３１ｂが両板材２１ａ，２１ｂに対して矢印Ｃｂ，Ｃｂで示すようにさらに回動し、これにより、両半環状部材３１ａ，３１ｂによる輪状括り部１１の締付け動作の規制が解除される構成が採用されている。
【００２４】
この括り罠用安全装置１の使用に際しては、括り罠１０と共に括り罠用安全装置１を設置場所に搬送する。この際に、本例の括り罠用安全装置１では、従来の安全装置における設置枠に相当する部材が存在せず、括り罠１０および括り罠用安全装置１（従来の安全装置における「踏板」に相当する部材）を携行するだけで済むため、この点において、設置作業者にかかる負担が十分に軽減されている。
【００２５】
一方、設置場所に到着した際には、まず、図３，４に示すように、板材２１ａに対して板材２１ｂを回動させることで両板材２１ａ，２１ｂを回動規制片２３による回動規制状態にする。この際には、両板材２１ａ，２１ｂの外側縁部が回動軸２２ａよりも下方に位置した状態（両板材２１ａ，２１ｂの外側縁部に対して回動軸２２ａが上方に位置した状態）となる。
【００２６】
次いで、板材２１ａに対して半環状部材３１ａを回動させて半環状部材３１ａの中間部位４２を板材２１ａの上縁部（板材２１ａに取り付けられている補強部材２４，２４）に当接させ、かつ板材２１ｂに対して半環状部材３１ｂを回動させて半環状部材３１ｂの中間部位４２を板材２１ｂの上縁部（板材２１ｂに取り付けられている補強部材２４，２４）に当接させる。この際には、半環状部材３１ａの中間部位４２（係合用溝４２ａの形成部位）が回動軸３２ａよりも下方に位置する（半環状部材３１ａの中間部位４２に対して回動軸３２ａが上方に位置する）と共に、半環状部材３１ｂの中間部位４２（係合用溝４２ａの形成部位）が回動軸３２ｂよりも下方に位置する（半環状部材３１ｂの中間部位４２に対して回動軸３２ｂが上方に位置する）状態となる。
【００２７】
続いて、括り罠１０の輪状括り部１１を拡径し、図６，７に示すように、両半環状部材３１ａ，３１ｂの周囲に回し掛けする。この際には、両図に示すように両半環状部材３１ａ，３１ｂの係合用溝４２ａに輪状括り部１１を係合させるように回し掛けすることにより、規制部３からの輪状括り部１１の離脱が回避される。
【００２８】
また、本例の括り罠用安全装置１では、回動規制状態の板材２１ａ，２１ｂに接して板材２１ａ，２１ｂによって回動が規制された半環状部材３１ａ，３１ｂの両中間部位４２，４２が各端部４１（各回動軸３２ａ，３２ｂ）よりも下方に位置させられている。したがって、輪状括り部１１の締め付け動作によって両中間部位４２，４２を互いに接近させる向きの力が半環状部材３１ａ，３１ｂに対して加えられたときに、その力が、各回動軸３２ａ，３２ｂを中心として両半環状部材３１ａ，３１ｂを両板材２１ａ，２１ｂに対して矢印Ｃａ，Ｃａの向きに回動させようとする向きに変換され、これにより、両半環状部材３１ａ，３１ｂの中間部位４２が板材２１ａ，２１ｂの上縁部に押し付けられることとなる。これにより、両板材２１ａ，２１ｂによって回動を規制された状態の両半環状部材３１ａ，３１ｂによって輪状括り部１１の締付け動作が規制される。
【００２９】
次いで、設置場所に落ちている異物（大きな石や枯れ木など）を除去して略平坦な設置面Ｆを形成した後に、図７に示すように、設置面Ｆの上に括り罠用安全装置１を設置する。この際には、両板材２１ａ，２１ｂの外側端部が設置面Ｆに接し、かつ、両板材２１ａ，２１ｂを連結している回動軸２２ａ（蝶番２２）が設置面Ｆから離間し、板材２１ａ，２１ｂにおいて回動軸２２ａ（蝶番２２）によって連結されている部位（基部２の長手方向中央部）と設置面Ｆとの間に空間が生じた状態となる。この後、必要に応じて、括り罠用安全装置１および括り罠１０（輪状括り部１１）を落ち葉や土によって覆い隠すことにより、括り罠用安全装置１（括り罠１０）の設置作業が完了する。
【００３０】
一方、上記のように設置された状態の括り罠用安全装置１（括り罠１０）における環状領域Ａ内の基部２（板材２１ａ，２１ｂ）が対象物Ｘ（捕獲対象の鳥獣の足など）によって踏まれたときには、図７に示すように、板材２１ａ，２１ｂの連結部位が対象物Ｘによって矢印Ｄの向きに押し下げられる。この際には、両板材２１ａ，２１ｂが回動軸２２ａを中心として矢印Ｂｂ，Ｂｂの向きに回動させられ、図８に示すように、両板材２１ａ，２１ｂの裏面が設置面Ｆに面的に接触させられると共に、両板材２１ａ，２１ｂの回動に伴って、両半環状部材３１ａ，３１ｂが回動軸３２ａ，３２ｂを中心として両板材２１ａ，２１ｂに対して図７に示す矢印Ｃｂ，Ｃｂの向きで回動させられる。
【００３１】
また、図８に示すように、両板材２１ａ，２１ｂの回動に伴って回動させられた両半環状部材３１ａ，３１ｂの両中間部位４２，４２が各端部４１，４１・・よりも上方に位置する状態となったときには、輪状括り部１１の締め付け動作（両中間部位４２，４２を互いに接近させようとする力）によって両半環状部材３１ａ，３１ｂが両板材２１ａ，２１ｂに対して矢印Ｃｂ，Ｃｂで示すようにさらに回動させられる。これにより、両半環状部材３１ａ，３１ｂによる輪状括り部１１の締付け動作の規制が解除される。この後、図９に示すように、両半環状部材３１ａ，３１ｂがある程度回動させられたときに、両半環状部材３１ａ，３１ｂから輪状括り部１１が離脱する結果、図１０に示すように、輪状括り部１１が対象物Ｘを締め付けた状態（括り罠１０によって対象物Ｘが捕獲された状態）となる。
【００３２】
また、輪状括り部１１が離脱した半環状部材３１ａ，３１ｂは、その自重により、図９に矢印Ｃａ，Ｃａで示すように両板材２１ａ，２１ｂに対して回動させられ、図１０に示すように、中間部位４２が両板材２１ａ，２１ｂの上縁部に当接した状態となる。これにより、括り罠１０（輪状括り部１１）によって締め付けられている対象物Ｘが両半環状部材３１ａ，３１ｂに引っ掛かって括り罠用安全装置１が破壊される事態が回避される。
【００３３】
このように、この括り罠用安全装置１では、回動規制状態において両板材２１ａ，２１ｂにおける回動軸２２ａ（蝶番２２）による連結部位とは逆側の端部よりも回動軸２２ａが上方に位置するように基部２が構成され、かつ回動規制状態の両板材２１ａ，２１ｂに両半環状部材３１ａ，３１ｂの中間部位４２が接して両板材２１ａ，２１ｂによって両半環状部材３１ａ，３１ｂの回動が規制された状態において両半環状部材３１ａ，３１ｂの両端部４１，４１よりも中間部位４２が下方に位置するように回動規制片２３が構成されて、輪状括り部１１の締付け動作によって両中間部位４２を互いに接近させる向きの力が両半環状部材３１ａ，３１ｂに対して加わったときに両中間部位４２，４２が両板材２１ａ，２１ｂに対して押し付けられて板材２１ａ，２１ｂに対する回動が規制された両半環状部材３１ａ，３１ｂによって締付け動作が規制されると共に、対象物Ｘによって環状領域Ａ内の基部２（両板材２１ａ，２１ｂの少なくとも一方）が踏まれて両板材２１ａ，２１ｂの連結部とは逆側の端部に対して回動軸２２ａが下降させられることで両板材２１ａ，２１ｂに接している両半環状部材３１ａ，３１ｂの中間部位４２が両端部４１，４１に対して相対的に上昇させられて中間部位４２が両端部４１，４１よりも上方に位置したときに両中間部位４２が両板材２１ａ，２１ｂから離脱するように両半環状部材３１ａ，３１ｂが板材２１ａ，２１ｂに対して回動して両半環状部材３１ａ，３１ｂによる輪状括り部１１の締付け動作の規制が解除されるように構成されている。
【００３４】
したがって、この括り罠用安全装置１によれば、従来の安全装置における設置枠に相当する部材を使用せずに設置することができるため、この設置枠の携行が不要となる分だけ、設置作業者の負担を軽減することができると共に、設置面Ｆに穴を掘らずに設置することができるため、穴掘りに要する時間の分だけ設置作業に要する時間を短縮することができ、また、穴掘りが不要となる分だけ、設置作業者に係る負担を十分に軽減することができる。これにより、この括り罠用安全装置１によれば、迅速かつ容易に括り罠１０を設置することができる。
【００３５】
また、この括り罠用安全装置１によれば、半環状部材３１ａ，３１ｂの外周部における中間部位４２に輪状括り部１１の係合が可能な係合用溝４２ａを形成したことにより、規制部３によって締付け動作が規制された状態の輪状括り部１１が規制部３から不用意に外れてしまう事態を好適に回避することができる。これにより、環状領域Ａ内の基部２（板材２１ａ，２１ｂ）が対象物Ｘによって踏まれたときに、輪状括り部１１によって対象物Ｘを締め付けて確実に捕獲することができる。
【００３６】
なお、「括り罠用安全装置」の構成は、上記の括り罠用安全装置１の構成に限定されない。例えば、「回動規制片」の一例である回動規制片２３を板材２１ａ（「一対の板材」の一方）に取り付けた例について説明したが、このような構成に代えて、「回動規制片」を「第１の回動軸（例えば、上記の括り罠用安全装置１における蝶番２２の回動軸２２ａ）」に取り付ける構成を採用することもできる（図示せず）。
【００３７】
また、蝶番２２の回動軸２２ａとは別個に設けた回動軸３２ａによって半環状部材３１ａを板材２１ａに対して回動可能に取り付けると共に、回動軸２２ａとは別個に設けた回動軸３２ｂによって半環状部材３１ｂを板材２１ｂに対して回動可能に取り付けた構成の括り罠用安全装置１を例に挙げて説明したが、このような構成に代えて、「第１の回動軸（例えば、上記の括り罠用安全装置１における蝶番２２の回動軸２２ａを延長した軸部材）」によって半環状部材３１ａを板材２１ａに対して回動可能に取り付けたり（図示せず）、「第１の回動軸（例えば回動軸２２ａを延長した軸部材）」によって半環状部材３１ｂを板材２１ｂに対して回動可能に取り付けたりする構成を採用することもできる（図示せず）。
【符号の説明】
【００３８】
１  括り罠用安全装置
２  基部
３  規制部
１０  括り罠
１１  輪状括り部
２１ａ，２１ｂ  板材
２２  蝶番
２２ａ，３２ａ，３２ｂ  回動軸
２３  回動規制片
２４  補強部材
３１ａ，３１ｂ  半環状部材
４１  端部
４２  中間部位
４２ａ  係合用溝
Ａ  環状領域
Ｆ  設置面
Ｘ  対象物
【要約】
【課題】迅速かつ容易に括り罠を設置可能とする。
【解決手段】輪状括り部１１の締付け動作によって中間部位４２，４２を互いに接近させる向きの力が半環状部材３１ａ，３１ｂに加わったときに中間部位４２，４２が板材２１ａ，２１ｂに押し付けられて矢印Ｃａ，Ｃａの向きへの回動が規制された半環状部材３１ａ，３１ｂによって締付け動作が規制されると共に、対象物Ｘによって環状領域Ａ内の基部２が踏まれて板材２１ａ，２１ｂの外側の端部に対して回動軸２２ａが下降させられることで半環状部材３１ａ，３１ｂの中間部位４２，４２が各端部４１，４１・・に対して相対的に上昇させられて中間部位４２，４２が各端部４１，４１よりも上方に位置したときに半環状部材３１ａ，３１ｂが板材２１ａ，２１ｂに対して矢印Ｃｂ，Ｃｂで示すように回動して半環状部材３１ａ，３１ｂによる締付け動作の規制が解除されるように構成されている。
【選択図】図７【図１】
0005420790.tif 000002
【図２】
0005420790.tif 000003
【図３】
0005420790.tif 000004
【図４】
0005420790.tif 000005
【図５】
0005420790.tif 000006
【図６】
0005420790.tif 000007
【図７】
0005420790.tif 000008
【図８】
0005420790.tif 000009
【図９】
0005420790.tif 000010
【図１０】
0005420790.tif 000011